(57)【要約】【課題】従来のように遮光装置を設けずとも、露光位置の前後に搬送されて来ている印画紙に露光カブリが生じない写真処理装置を提供する。【解決手段】印画紙を所定の大きさに切断して送り出す供給手段と、この供給手段からの印画紙を露光位置に搬送すると共に露光位置から退出させるための搬送手段と、搬送手段を介して露光位置に搬送された印画紙に画像を露光するための露光手段とが備えられた写真処理装置において、印画紙の大きさと露光手段による露光倍率に基づいて、露光位置にある印画紙の上流側と下流側の印画紙に露光カブリの生じないように、供給手段による印画紙の供給間隔を制御する印画紙供給間隔制御手段を備えた。【選択図】　図２
2004061611.tif 000002
【特許請求の範囲】
【請求項１】
印画紙を所定の大きさに切断して送り出す供給手段と、この供給手段からの印画紙を露光位置に搬送すると共に露光位置から退出させるための搬送手段と、搬送手段を介して露光位置に搬送された印画紙に画像を露光するための露光手段とが備えられた写真処理装置において、
印画紙の大きさと露光手段による露光倍率に基づいて、露光位置にある印画紙の上流側と下流側の印画紙に露光カブリの生じないように、供給手段による印画紙の供給間隔を制御する印画紙供給間隔制御手段を備えていることを特徴とする写真処理装置。
【発明の詳細な説明】
【０００１】
【発明の属する技術分野】
本発明は、所定の大きさにカットした印画紙を露光位置に搬送して、この露光位置で印画紙に所定の画像を露光する写真処理装置に関する。
【０００２】
【従来の技術】
一般にこの種の写真処理装置は、印画紙を所定の大きさに切断して送り出す供給手段と、この供給手段からの印画紙を露光位置に搬送すると共に露光位置から退出させるための搬送手段と、搬送手段を介して露光位置に搬送された印画紙に画像を露光するための投影露光型の露光手段とが備えられ、供給手段で所定の大きさに切断された複数の印画紙を、搬送手段により露光位置に順次搬送し、露光位置に搬送されて来た印画紙に露光手段により所定の画像を露光した後、この印画紙を露光位置から退出させて現像処理部に搬送するようにしている。
【０００３】
ところで以上の写真処理装置では、露光手段による露光に際して、その露光倍率が大きくなると、露光位置での露光光の広がりが大きくなって、露光位置の前後に送られた印画紙にもその光が作用し、いわゆる露光カブリが生じる不具合がある。
【０００４】
【発明が解決しようとする課題】
そこで従来では、露光位置の前後に送られた印画紙に対する光線を遮断するための遮光材とこの遮光材の位置を変更させるための作動機構とから成る遮光装置を搭載した写真処理装置が開発されているが、以上の写真処理装置では、別途遮光装置を搭載しなければならず、写真処理装置がそれだけ大型となるし、製造コストも高くなるのは勿論こと、印画紙の大きさを例えばＬサイズからＥサイズに変更する場合には、必ず作動機構を駆動させて、遮光部材の位置を変更する作業が必要となり、この変更作業に別途時間を要する問題も生じる。
【０００５】
本発明は以上の実情に鑑みて開発したものであって、目的とするところは、遮光装置を設けずとも、露光位置の前後に搬送されて来ている印画紙に露光カブリが生じない写真処理装置を提供するにある。
【０００６】
【課題を解決するための手段】
以上の目的を達成するために請求項１に記載の発明は、印画紙を所定の大きさに切断して送り出す供給手段と、この供給手段からの印画紙を露光位置に搬送すると共に露光位置から退出させるための搬送手段と、搬送手段を介して露光位置に搬送された印画紙に画像を露光するための露光手段とが備えられた写真処理装置において、印画紙の大きさと露光手段による露光倍率に基づいて、露光位置にある印画紙の上流側と下流側の印画紙に露光カブリの生じないように、供給手段による印画紙の供給間隔を制御する印画紙供給間隔制御手段を備えていることを特徴とするものである。
【０００７】
【発明の実施の形態】
以下、本発明の実施の形態を図面に基づいて説明する。
【０００８】
図１において符号１で示す写真処理装置は、ハウジング１０の内部に、感光材料としての印画紙Ｐに画像情報の露光を行う露光処理部２と、露光処理部２で露光された印画紙Ｐの現像処理を行う現像処理部３とが搭載され、またハウジング１０の外部には、画像情報や各種情報を表示するモニター１１と、各種情報を入力するキーボード１２と、現像済みの写真フィルムＦをセットするフィルムキャリア１３とが搭載されている。
【０００９】
露光処理部２は、図１及び図２にも示すように、マガジン２１内においてロール状に巻かれた印画紙Ｐを所定のプリントサイズに切断して送り出す供給手段２２と、この供給手段２２からの印画紙Ｐを露光手段に送る搬送手段２３と、露光台部２０の露光位置ＥＰで露光された印画紙Ｐを現像処理部に送る排出手段２４と、露光位置ＥＰにおいて印画紙Ｐに画像情報の露光を行う露光手段２５とが備えられている。
【００１０】
供給手段２２は、マガジン２１内から印画紙Ｐを送り出す送り出しローラ２２ａと、ロール状の印画紙Ｐを所定のプリントサイズに切断するためのカッター２２ｂとが備えられている。
【００１１】
搬送手段２３は、１つの駆動ローラ２３ａと２つの遊転ローラ２３ｂに巻回された通気性を有する無端状の搬送ベルト２３ｃと、この搬送ベルト２３ｃの反搬送面側に配置された負圧ケース２３ｄと、この負圧ケース２３ｄ内の空気を送り出して搬送ベルト２３ｃの搬送面の側に負圧を発生させる吸引ファン２３ｅとが備えられて、搬送ベルト２３ｃは、搬送面に供給された印画紙Ｐに吸引ファン２３ｅを介して負圧を作用させることで、印画紙Ｐを吸着状態で搬送して露光台部２０として用いられるよう構成され、また図２に示すように、搬送ベルト２３ｃの搬送経路の中間部位に露光位置ＥＰが形成されている。
【００１２】
排出手段２４は、搬送手段２３の搬送ベルト２３ｃから搬出される印画紙Ｐを現像処理部３に送り出す複数の無端ベルト２４ａが備えられている。
【００１３】
露光手段２５は、アナログ式投影型のものであって、ハロゲンランプ２５ａの光を調光フィルター２５ｂで調光した上で、フィルムキャリア１３に支持した写真フィルムＦに供給し、この写真フイルムＦを透過した光線を光軸Ｌ上に配置したズームレンズ２５ｃとシャッター２５ｄとを介して露光部における露光位置ＥＰの印画紙Ｐに導き、写真フイルムＦの画像を露光位置ＥＰの印画紙Ｐの感光面に結像させるよう構成されている。
【００１４】
またフィルムキャリア１３の近傍位置には写真フイルムＦの画像情報をＲ（赤）、Ｇ（緑）、Ｂ（青）の３色の画像情報に変換してデジタル信号として取り込むようセンサ光源２５ｅと、このセンサ光源２５ｅから写真フィルムＦを透過した光線から画像情報を取り込むようライン型のＣＣＤを有したセンシング部２５ｆとで構成されたセンサユニットが搭載され、センサユニットで取込んだ画像情報をモニター１１に表示して投影露光のためのプレジャッジを行うようにしている。
【００１５】
現像処理部３は、図１に示すように、印画紙Ｐの現像処理を行う複数の現像処理槽３１と、印画紙Ｐを搬送するための搬送ユニット３２とを有すると共に、現像処理槽３１での現像処理後の印画紙Ｐに乾燥風を送るブロワ３３とが備えられている。
【００１６】
また以上の写真処理装置には、マイクロコンピュータを搭載した制御装置４が設けられている。
【００１７】
この制御装置４は、主としてキーボード１２及びセンシング部２５ｆなどからの信号を入力して、送り出しローラ２２ａを駆動する送り出しモータＭ１と、カッター２２ｂを駆動するカッターモータＭ２と、搬送ベルト２３ｃの駆動ローラ２３ａを駆動する搬送モータＭ３と、フィルムキャリア１３のローラ１３ａを駆動するキャリアモータＭ４と、調光フィルター２５ｂと、ズームレンズ２５ｃの駆動装置２５ｇと、シャッター２５ｄとを制御するようにしているのであって、またこの制御装置５０では、プリント処理を行うに際して、使用する印画紙Ｐの大きさや露光手段２５を構成するズームレンズ２５ｃの露光倍率などを任意設定出来るようにしている。
【００１８】
そして図に示す実施形態では、制御装置４を構成するマイクロコンピュータのプログラム上には、印画紙Ｐの大きさと露光手段２５による露光倍率に基づいて、露光位置ＥＰにある印画紙Ｐ−１の上流側に位置する印画紙Ｐ−２と下流側に位置する印画紙Ｐ−３に露光カブリが生じないように、供給手段２２による印画紙Ｐの供給間隔を制御する印画紙供給間隔制御手段４０が構築されている。
【００１９】
以上の写真処理装置では、露光台部２０の長さが６２０ｍｍであって、またプリント作成時における供給手段２２による印画紙Ｐの標準の搬出パターンとして、印画紙の送り方向長さが１０２ｍｍ以下の場合には、露光台部２０上に５枚の印画紙が等間隔で搭載されるように印画紙供給間隔制御手段４０を介して供給手段２２が制御され、また送り方向の長さが１０２ｍｍ〜１７８ｍｍの場合には、露光台部２０上に３枚の印画紙が等間隔で搭載されるように印画紙供給間隔制御手段４０を介して供給手段２２が制御され、更に１７８ｍｍ以上の場合には、露光台部２０上に１枚の印画紙Ｐのみが搭載されるように印画紙供給間隔制御手段４０を介して供給手段２２が制御されている。
【００２０】
しかして以上の写真処理装置１では、例えば、画面の大きさが２４ｍｍ×３６ｍｍの１３５フィルムを用いて、幅１２７ｍｍ×送り方向長さ８９ｍｍの大きさの印画紙Ｐに、標準サイズのプリントを作成すると、ズームレンズ２５ｃの露光倍率は、８９÷２４×１．０４（余裕代）＝３．８６倍となり、露光台部２０における露光位置での光のひろがりは、２４ｍｍ×３．８６＝９２．６ｍｍとなる。
【００２１】
これに対して、例えばトリミングを行なうべくズームレンズ２５ｃの露光倍率を１１倍にすると、露光台部２０における露光位置での光のひろがりは、２４ｍｍ×１１＝２６４ｍｍとなる。
【００２２】
次に以上の構成からなる写真処理装置の動作を図３に示すフローチャートに基づいて説明する。
【００２３】
まず以上の写真処理装置によりプリント処理を行なうに際して、オペレーターは、プリント処理に使用するフィルムのサイズを選択（ステップ１０１）するのであって、ここでは、画面の大きさが２４ｍｍ×３６ｍｍの１３５フィルムを選択し、続いて、プリント処理に使用する１３５フィルム用のフィルムキャリア１３をセットする（ステップ１０２）。
【００２４】
次に、プリントする印画紙Ｐのサイズを選択（ステップ１０３）するのであって、ここでは、幅１２７ｍｍ、送り方向長さが８９ｍｍのサイズを選択し、更にこのプリントサイズに適した１２７ｍｍ幅の印画紙Ｐが収納されたマガジン２１をセットする。（ステップ１０４）
続いて露光倍率を指定する（ステップ１０５）と、その指定された倍率に基づいて、印画紙供給間隔制御手段４０により、露光台部２０上での光のひろがりが計算（ステップ１０６）された後、算出された光のひろがりに基づいて、供給手段２２により印画紙Ｐの前記した搬出パターンである露光台部２０上に５枚若しくは３枚の印画紙Ｐが等間隔で搭載された場合に、露光位置ＥＰに位置する印画紙Ｐ−１の前後に搬送された印画紙Ｐ−２〜Ｐ−５に露光カブリが生じるか否かが判別される。（ステップ１０７）
例えば、ステップ１０５で、前述の標準倍率（３．８６倍）が指定された場合には、この標準倍率（３．８６倍）に基づいて、ステップ１０６で露光台部２０上での光のひろがりが計算（２４ｍｍ×３．８６＝９２．６ｍｍ）され、更にステップ７で、この光のひろがりにて、供給手段２２により印画紙Ｐの標準の搬出パターンである露光台部２０上に５枚若しくは３枚の印画紙Ｐが等間隔で搭載された場合に、露光位置に位置する印画紙Ｐ−１の前後に搬送されている印画紙Ｐ−２・Ｐ−３、若しくはこれら印画紙Ｐ−２・Ｐ−３の更に前後に搬送されている印画紙Ｐ−４・Ｐ−５に露光カブリが発生するか否かが判別される。
【００２５】
即ち、露光台部２０に５枚の印画紙Ｐが等間隔で搭載された場合において、各印画紙Ｐ間の間隔は、（露光台部の全長６２０ｍｍ−印画紙の送り方向長さ８９ｍｍ×５枚）＝４３．７５ｍｍであり、
また露光位置に位置する印画紙Ｐ−１の前後の印画紙Ｐ−２・Ｐ−３の内法寸法は、（印画紙の送り方向長さ８９ｍｍ＋印画紙間の間隔４３．７５×２）＝１７６．５ｍｍであって、
更に、前述の印画紙Ｐ−２・Ｐ−３よりも更に前後の印画紙Ｐ−４・Ｐ−５の内法寸法は、（印画紙の送り方向長さ８９ｍｍ×３＋印画紙間の間隔４３．７５×４）＝４４２ｍｍである。
【００２６】
そして以上の前提のもとで、前述のごとく、標準倍率（３．８６倍）による露光台部２０上での光の広がりが９２．６ｍｍとなっている場合において、印画紙Ｐの標準の搬出パターンである露光台部２０上に５枚の印画紙Ｐが等間隔で搭載されても、露光位置に位置する印画紙Ｐ−１の前後の印画紙Ｐ−２・Ｐ−３の内法寸法は１７６．５ｍｍあるから、これら印画紙Ｐ−２・Ｐ−３に露光カブリが生じることがなく、従って、印画紙供給間隔制御手段４０を介して供給手段２２により、露光台部２０上に５枚の印画紙Ｐが載る通常の搬送パターンで搬送され（ステップ１０８）、続いて露光手段２５により、露光台部２０上の露光位置ＥＰに位置する印画紙Ｐ−１に対して露光が開始されるのである。
【００２７】
一方、露光倍率１１倍とする特別サイズのプリント処理を行なうべく、ステップ１０５で、１１倍の露光倍率が指定された場合には、この露光倍率に基づいてステップ１０６で露光台部２０上での光のひろがりが計算（２４ｍｍ×１１＝２６４ｍｍ）され、更にステップ１０７で、この光のひろがりにて、供給手段２２により印画紙Ｐの標準の搬出パターンである露光台部２０上に５枚若しくは３枚の印画紙が等間隔で搭載された場合に、露光位置に位置する印画紙の前後に搬送されている印画紙Ｐ−２・Ｐ−３、若しくはこれら印画紙Ｐ−２・Ｐ−３の更に前後に搬送されている印画紙Ｐ−４・Ｐ−５に露光カブリが発生するか否かが判別される。
【００２８】
即ち、前述のごとく、露光倍率が１１倍による露光台部２０上での光の広がりが２６４ｍｍとなっている場合において、印画紙Ｐの標準の搬出パターンである露光台部２０上に５枚の印画紙Ｐが等間隔で搭載されると、露光位置に位置する印画紙Ｐ−１の前後の印画紙Ｐ−２・Ｐ−３の内法寸法は１７６．５ｍｍあるから、これら印画紙Ｐ−２・Ｐ−３に露光カブリが生じることになり、また印画紙Ｐの標準の搬出パターンである露光台部２０上に３枚の印画紙Ｐが等間隔で搭載されると、印画紙Ｐ−４・Ｐ−５の内法寸法は４４２ｍｍであるから、これら印画紙Ｐ−４・Ｐ−５に露光カブリが生じることがなく、従って、印画紙供給間隔制御手段４０を介して供給手段２２により、露光台部２０上に３枚の印画紙Ｐが載る標準以外の搬送パターンで搬送され（ステップ１０９）、続いて露光手段２５により、露光台部２０上の露光位置ＥＰに位置する印画紙Ｐ−１に対して露光が開始されるのである。
【００２９】
尚、画像の露光焼き付け処理が行なわれた印画紙Ｐは、更に現像処理部３において現像処理がなされた後、乾燥処理されてプリントが仕上がるのである。
【００３０】
斯くして以上の写真処理装置では、印画紙Ｐの大きさと露光手段２５による露光倍率に基づいて、印画紙供給間隔制御手段により、露光位置にある印画紙の上流側と下流側の印画紙に露光カブリの生じないように供給手段２２による印画紙Ｐの供給が制御されるので、印画紙Ｐが露光カブリにより無駄になるのを防止することが出来るのは勿論のこと、従来のように遮光装置を設ける必要がなくなり、それだけ装置の製造コストを安価にすることが出来る。
【００３１】
以上の実施形態では、印画紙供給間隔制御手段４０により、、印画紙Ｐの大きさと露光手段２５による露光倍率に基づいて、露光位置にある印画紙の上流側と下流側の印画紙に露光カブリの生じないように、供給手段２２による印画紙の供給間隔を制御するようにしたが、これに限定されるものではなく、例えば制御装置４を構成するマイクロコンピュータのプログラム上に、ズームレンズ２５ｃの露光倍率を制御するための露光倍率制御手段を構築して、この露光倍率制御手段により、供給手段２２による露光台部２０上への印画紙Ｐの搬送パターンに応じて、ズームレンズ２５ｃの露光倍率を規制するようにしてもよい。
【００３２】
【発明の効果】
以上説明したように、請求項１に記載の発明によれば、印画紙を所定の大きさに切断して送り出す供給手段と、この供給手段からの印画紙を露光位置に搬送すると共に露光位置から退出させるための搬送手段と、搬送手段を介して露光位置に搬送された印画紙に画像を露光するための露光手段とが備えられた写真処理装置において、印画紙の大きさと露光手段による露光倍率に基づいて、露光位置にある印画紙の上流側と下流側の印画紙に露光カブリの生じないように、供給手段による印画紙の供給間隔を制御する印画紙供給間隔制御手段を備えていることにより、露光倍率が大きく設定された場合であっても、露光位置の前後に搬送される印画紙に露光カブリが生じる虞がなく、しかも従来のように遮光装置を設ける必要もないので、それだけ装置を簡略にすることが出来る。
【図面の簡単な説明】
【図１】本発明にかかる写真処理装置の構成図。
【図２】同、要部の構成図。
【図３】同、写真処理装置の作動を示すフローチャート。
【符号の説明】
１　　　写真処理装置
２　　　露光処理部
２２　　供給手段
２３　　搬送手段
２５　　露光手段
２５ｃ　ズームレンズ
４　　　制御装置
４０　　印画紙供給間隔制御手段
Ｐ　　　印画紙
【図１】
2004061611.tif 000003
【図２】
2004061611.tif 000004
【図３】
2004061611.tif 000005